(57)【特許請求の範囲】
【請求項１】
血液を浄化する血液浄化装置であって、
血液を通過させて浄化する血液浄化器と、
採血側端部から前記血液浄化器に血液を供給する採血流路と、前記血液浄化器を通過した血液を返血側端部に戻す返血流路とを有する血液回路と、
少なくともプライミング処理用の液体の容器、返血処理用の液体の容器、輸液処理用の液体の容器を選択的に接続可能で、当該容器から前記血液回路に前記液体を導入する液体導入流路と、を有し、
前記採血流路上には、前記液体導入流路が着脱自在な弁付きコネクタが設けられ、
前記弁付きコネクタの弁は、前記液体導入流路が接続されているときに開き取り外されているときに閉じるものであり、
前記液体導入流路は、前記採血側端部に他のコネクタを介して着脱可能である、血液浄化装置。
【発明の詳細な説明】
【技術分野】
【０００１】
本発明は、血液を浄化する血液浄化装置に関する。
【背景技術】
【０００２】
血液を透析する血液透析装置や、血液中の血漿を分離し交換する血漿交換装置などの血液浄化装置は、一般的に例えば図５に示すように血液浄化器１００と、ポンプ１０１により採血側端部１０２ａから血液浄化器１００に血液を供給し、血液浄化器１００を通過した血液を返血側端部１０２ｂに戻す血液回路１０２を有している。また、血液浄化装置は、容器１０３から血液回路１０２に生理食塩水などの液体を導入する輸液ライン１０４を有している（特許文献１参照）。輸液ライン１０４は、血液回路１０２の分岐路１０２ｃに対しコネクタ１０５などを用いて接続可能になっている。
【先行技術文献】
【特許文献】
【０００３】
【特許文献１】実開平１−１７８０４６号公報
【発明の概要】
【発明が解決しようとする課題】
【０００４】
上記輸液ライン１０４により、血液浄化処理に先立って血液回路１０２内に例えば生理食塩水を供給して血液回路１０２を浄化するプライミング処理や、血液浄化処理の後に血液回路１０２内に残存している血液を例えば生理食塩水で押し出し返血する返血処理、血液浄化処理中の例えば血圧低下時などの緊急時に血液回路１０２に例えば生理食塩水を供給する輸液処理などを行うことができる。
【０００５】
しかしながら、上述の血液浄化装置では、輸液ライン１０４が血液回路１０２の分岐路１０２ｃに接続されている。このため、プライミング処理を行う際には、血液回路１０２の全区間に生理食塩水を供給するために、複数のクランプ１０６の操作により血液回路１０２における生理食塩水の流入部（血液回路１０２の分岐路１０２ｃの分岐部Ａ）より上流側と下流側に切り替えて、生理食塩水を供給する必要がある。よって、クランプ１０６による煩雑な操作が必要になる。
【０００６】
また、上述の血液浄化装置では、輸液ライン１０４が血液回路１０２の分岐路１０２ｃにコネクタ１０５により着脱可能になっている。このため、輸液処理を行う際に仮にコネクタ１０５部分にゆるみなどが生じると、患者の血液が漏れる可能性がある。
【０００７】
本発明はかかる点に鑑みてなされたものであり、プライミング処理を簡単に行うことができ、また輸液処理時の血液の漏れの可能性をなくすことができる血液浄化装置を提供することをその目的とする。
【課題を解決するための手段】
【０００８】
上記目的を達成するための本発明は、血液を浄化する血液浄化装置であって、血液を通過させて浄化する血液浄化器と、採血側端部から前記血液浄化器に血液を供給する採血流路と、前記血液浄化器を通過した血液を返血側端部に戻す返血流路とを有する血液回路と、少なくともプライミング処理用の液体の容器、返血処理用の液体の容器、輸液処理用の液体の容器を選択的に接続可能で、当該容器から前記血液回路に前記液体を導入する液体導入流路と、を有し、前記採血流路上には、前記液体導入流路が着脱自在な弁付きコネクタが設けられ、前記弁付きコネクタの弁は、前記液体導入流路が接続されているときに開き取り外されているときに閉じるものであり、前記液体導入流路は、前記採血側端部に他のコネクタを介して着脱可能である。
【０００９】
本発明によれば、弁付きコネクタが血液回路に設けられ、液体導入流路がその弁付きコネクタに着脱でき、さらに血液回路の採血側端部又は返血側端部に着脱できるので、プライミング処理時に液体導入流路を採血側端部又は返血側端部に接続し、液体を血液回路に流すことができる。こうすることにより、一度の液体の流入で血液回路の採血側端部から返血側端部の全区間に液体を送ることができるので、プライミング処理を簡単に行うことができる。また、弁付きコネクタが血液回路上にあるので、血液回路には、従来のように液体導入流路の接続のための分岐路がなく、血液回路のプライミング処理を血液回路の全区間に亘って漏れなく十分に行うことができる。また、液体導入流路と血液回路との接続に弁付きコネクタを用いるので、血液回路の血液が漏れる可能性をなくすことができる。
【発明の効果】
【００１３】
本発明によれば、プライミング処理を簡単に行うことができ、また輸液処理時の血液の漏れの可能性をなくすことができるので、より使い易く安全性の高い血液浄化装置を提供できる。
【図面の簡単な説明】
【００１４】
【図１】血液浄化装置の構成の概略を示す模式図である。
【図２】弁付きコネクタの構成の概略を示す説明図である。
【図３】液体導入流路が接続された状態の弁付きコネクタの構成の概略を示す説明図である。
【図４】血液回路の採血側端部に液体導入流路が接続された状態の血液浄化装置を示す説明図である。
【図５】改良前の血液浄化装置を示す説明図である。
【発明を実施するための形態】
【００１５】
以下、図面を参照して、本発明の好ましい実施の形態について説明する。図１は、本実施の形態に係る血液浄化装置１の構成の概略を示す説明図である。
【００１６】
血液浄化装置１は、図１に示すように例えば血液を通過させて浄化する血液浄化器１０と、採血側端部１１ａから血液浄化器１０に血液を供給し、血液浄化器１０を通過した血液を返血側端部１１ｂに戻す血液回路１１と、血液回路１１に着脱可能な液体導入流路１２を有している。
【００１７】
血液浄化器１０は、例えば中空糸膜や吸着材を内蔵するものであり、通過する血液から目的に応じて所定の物質を除去或いは分離して血液を浄化できる。
【００１８】
血液回路１１は、例えば患者に穿刺される針部を付ける採血側端部１１ａから血液浄化器１０に通じる採血流路２０と、血液浄化器１０から、針部を付ける返血側端部１１ｂに通じる返血流路２１を有している。採血流路２０と返血流路２１は、例えばチューブにより構成されている。採血流路２０には、例えば液体導入流路１２が着脱可能な弁付きコネクタ３０と、血液を圧送するポンプ３１が設けられている。返血流路２１には、クランプ３２が設けられている。
【００１９】
弁付きコネクタ３０は、液体導入流路１２が接続されているときに開き取り外されているときに閉じる弁を有している。例えば図２に示すように弁付きコネクタ３０は、容器部４０と、弁部４１を有している。容器部４０は、例えば対向する上下面と、側面の三か所に開口部４０ａ、４０ｂ、４０ｃが形成されている。上下面の開口部４０ａ、４０ｂには、採血流路２０のチューブが気密に接続されている。また、弁部４１は、例えばスワバブル弁(Swabable Valve)であり、容器部４０の開口部４０ｃのある側面に設けられ、弁箱５０と、弁体５１を有している。弁箱５０は、例えば略筒状に形成され、他の部分よりも径が小さい先端開口部５０ａを有している。この先端開口部５０ａには、液体導入流路１２のチューブを気密に挿入できる。弁体５１は、弁箱５０内に設置されている。弁体５１は、例えば略筒状に形成され、中央に弁流路５１ａを有している。弁体５１は、ゴムなどの柔軟性、伸縮性のある材質で形成されている。弁体５１は、弁箱５０内に設置された状態で、先端開口部５０ａ周辺の先端部分が圧縮され、弁流路５１ａが閉鎖されている。これにより、弁が閉じた状態となっている。また、図３に示すように液体導入流路１２のチューブが先端開口部５０ａに挿入されると、弁体５１の先端部分が液体導入流路１２のチューブに押されて変形し弁流路５１ａが開放される。これにより、弁が開いた状態となり、液体導入流路１２と採血流路２０が連通する。弁部４１は、液体導入流路１２のチューブが十分に装着されないと、弁が閉じた状態になる。
【００２０】
液体導入流路１２は、例えばチューブにより構成されている。図１に示すように液体導入流路１２の一端部１２ａには、プライミング処理用の液体が入った容器、返血処理用の液体が入った容器、輸液処理用の液体が入った容器などの複数の容器６０を接続可能なコネクタ６１が設けられている。液体導入流路１２の他端部１２ｂは、弁付きコネクタ３０に着脱可能であり、また、図４に示すようにメス型のコネクタ６２を介して採血側端部１１ａ又は返血側端部１１ｂに着脱可能である（図４は、採血側端部１１ａに接続された状態を示す）。コネクタ６２は、両側がメス型になっており、オス型の液体導入流路１２の他端部１２ｂと採血側端部１１ａを両側から挿入して気密に接続できる。液体導入流路１２には、その他例えばクランプ６３と点滴筒６４が設けられている。
【００２１】
次に、以上のように構成された血液浄化装置１の動作を説明する。例えばプライミング処理時には、図４に示すように液体導入流路１２の一端部１２ａに、プライミング処理用の生理食塩水などの液体が入った容器６０が接続され、他端部１２ｂがコネクタ６２を介して採血流路２０の採血側端部１１ａに接続される。次に、クランプ６３が開放され、容器６０の液体が液体導入流路１２を通じて採血側端部１１ａから採血流路２０内に流入し、採血流路２０、血液浄化器１０、返血流路２１を通って返血側端部１１ｂから排出される。これにより、血液回路２０が液体に置換され、血液回路２０内が洗浄される。なお、この際、弁付きコネクタ３０では、液体導入流路１２が接続されていないため、弁が閉じられている。また、このプライミング処理時には、液体導入流路１２の他端部１２ｂが返血側端部１１ｂに接続されてもよい。
【００２２】
血液浄化処理時の血圧低下時などに行われる輸液処理時には、図１に示すように液体導入流路１２の一端部１２ａに、輸液処理用の生理食塩水などの液体が入った容器６０が接続され、他端部１２ｂが採血流路２０の弁付きコネクタ３０に接続される。この際、液体導入流路１２のチューブが弁箱５０の先端開口部５０ａに挿入され、弁が開き、液体導入流路１２と採血流路２０が連通する。なお、このとき液体導入流路１２のチューブの挿入が不十分であると、弁が閉じたままになる。次に、クランプ６３が開放され、容器６０の液体が液体導入流路１２を通じて弁付きコネクタ３０から採血流路２０内に導入される。これにより、血液回路２０の血液に液体が供給され、例えば血圧の上昇が図られる。輸液処理の終了時には、クランプ６３が閉じられる。
【００２３】
返血処理時には、例えば図１に示すように血液浄化処理時に弁付きコネクタ３０に接続されていた液体導入流路１２が取り外される。これにより弁付きコネクタ３０の弁が閉じられる。次に、図４に示すように液体導入流路１２の一端部１２ａに、返血処理用の生理食塩水などの液体が入った容器６０が接続され、他端部１２ｂがコネクタ６２を介して採血流路２０の採血側端部１１ａに接続される。次に、クランプ６３が開放され、容器６０の液体が液体導入流路１２を通じて採血側端部１１ａから採血流路２０内に流入し、採血流路２０、血液浄化器１０、返血流路２１を通って返血側端部１１ｂから患者に送られる。これにより、血液回路２０に残存している血液が液体により押されて患者に戻される。
【００２４】
以上の実施の形態によれば、弁付きコネクタ３０が血液回路１１に設けられ、液体導入流路１２が弁付きコネクタ３０に着脱でき、さらに血液回路１１の採血側端部１１ａ又は返血側端部１１ｂに着脱できる。このため、プライミング処理時に液体導入流路１２を採血側端部１１ａ又は返血側端部１１ｂに接続し、液体を血液回路１１の採血側端部１１ａから返血側端部１１ｂまで流すことができる。こうすることにより、一度の液体の流入で血液回路１１の全区間に液体を送ることができるので、プライミング処理を簡単に行うことができる。また、弁付きコネクタ３０が血液回路１１上にあるので、血液回路１１には、従来のように液体導入流路１２の接続のための分岐路がなく、血液回路１１のプライミング処理や返血処理を血液回路１１の全区間に亘って漏れなく十分に行うことができる。また、液体導入流路１２と血液回路１１との接続に弁付きコネクタ３０を用いるので、例えば当該接続が不十分の場合には、弁が閉じた状態となり、血液回路１１の血液が漏れる可能性をなくすことができる。
【００２５】
液体導入流路１２は、コネクタ６２を介して採血側端部１１ａ又は返血側端部１１ｂ  に着脱可能であるので、例えば従来の液体導入流路１２と採血側端部１１ａ又は返血側端部１１ｂの形状を変えずにそのまま利用できる。
【００２６】
弁付きコネクタ３０は、採血流路２０に設けられているので、血液回路１１の血液浄化器１０よりも上流側に液体を導入できる。これにより、例えば血液回路１１に導入された液体が直ちに患者内に入ることを防止し、気泡混入などの緊急時などには液体の体内への導入を阻止することができる。また、液体導入流路１２は、少なくともプライミング処理用の液体、返血処理用の液体、輸液処理用の液体の各容器６０を選択的に接続可能であるので、これらの処理を適切に行うことができる。
【００２７】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００２８】
例えば以上の実施の形態で記載した血液回路１１や液体導入流路１２の構成は、これに限られるものではなく、回路や流路に必要に応じてドリップチャンバや圧力センサなどの他の部材が設けられていてもよい。また、血液浄化器１０には、血液浄化の目的に応じて血液浄化器１０に対して液体を導入又は排出する分岐回路が接続されていてもよい。また、血液回路１１の弁付きコネクタ３０も他の構造のものであってもよい。
【産業上の利用可能性】
【００２９】
本発明は、プライミング処理を簡単に行い、また輸液処理時の血液の漏れの可能性をなくす際に有用である。
【符号の説明】
【００３０】
１  血液浄化装置
１０  血液浄化器
１１  血液回路
１１ａ  採血側端部
１１ｂ  返血側端部
１２  液体導入流路
１２ａ  一端部
１２ｂ  他端部
２０  採血流路
２１  返血流路
３０  弁付きコネクタ
３１  ポンプ
３２  クランプ
６０  容器
６１  コネクタ
６２  コネクタ
６３  クランプ
６４  点滴筒
【図１】
0005496725.tif 000002
【図２】
0005496725.tif 000003
【図３】
0005496725.tif 000004
【図４】
0005496725.tif 000005
【図５】
0005496725.tif 000006